(57)【要約】【課題】携帯電話をはじめとする各種電子機器における外装デザインを多様化する。【解決手段】あらかじめ布や革などの外装材にボタン類の機能などを記載しておき貼り付けることで、電子機器の機能を損なうことなく各種素材の持ち味を生かしたデザインを可能とする。【選択図】図１
0003115457.tif 000002
【実用新案登録請求の範囲】
【請求項１】
布や革などの外装素材を用いることによって作られた外装材を用いて、貼り付けることができるようにすることでデザインの選択肢を増やすことができる。
【請求項２】
電子機器の操作ボタンに機能の割り振りを直接機材に記載することを必要とせず、あらかじめ印刷した素材を用意し、無地の機材に貼り付けることで製品コストを下げることができる。
【考案の詳細な説明】
【技術分野】
【０００１】
本考案は、携帯電話などの電子機器の外装に関するものである。
【背景技術】
【０００２】
一般的な生活がより電化され、電子機器類は日々増加し数々の電子機器が生活の一部として利用されている。
【０００３】
電子機器類も多種に渡り市販され利用されるに従い多様なデザインが消費者側に求められると同時に、供給する側もより一層のコストダウンが望まれている。
【０００４】
現在の電子機器類の外装はプラスチック等の樹脂や金属を用いたものがほとんどであり、機器のボタン類についても一つ一つのボタンに直接機能などを記載する等の方法が大半を占め、外装のデザインによる選択肢の中から外装材で消費者が選択することはこれまでできなかった。
【０００５】
この改善策として素材を貼り付ける方法が挙げられるが、製品として外装に用意したものが提供されておらず、電子機器の機能に関しては問題なく供される一方で、使用者が自分の好みの外装を用いたい場合については任意で使用者が加工する方法はあるものの、費用や調整などについて考えると現実的でないと言える。
【考案の開示】
【考案が解決しようとする課題】
【０００６】
解決しようとする問題点は、電子機器類の外装素材によるデザインの多様化と製造コストの低下である。
【課題を解決するための手段】
【０００７】
本考案は、電子機器類の外装材に布や革などの素材を用いることにより、デザインの多様化を図ることを最大の特徴とし、製造コストの低下を副次的に期待できる特徴を持つ。
【考案の効果】
【０００８】
本考案の外装方法を用いることで、電子機器類のデザインを大幅に多様化することができ、また、機材に機能を示す必要がないため部品点数を少なくでき、安価に機材を提供することが期待できるだけでなく、同様の新製品を提供する際、ボタン類の配置が同様の場合にはそのまま旧製品の外装材を利用できるので製造コストを下げることも可能となる。
【考案を実施するための最良の形態】
【０００９】
電子機器類本体に対して各ボタンなどの機能をあらかじめ外装材に記載しておき貼り付けることで部品点数を減らすと同時にデザインの多様化を図ることを実現した。
【実施例１】
【００１０】
図１は、本考案の布等を素材とする外装材２−ａおよび２−ｂと１に表す本体とを並べた状態で示したものであり、２−ａ及び２−ｂは外装材を示しており、２−ａは布などの素材に各ボタン類の機能などが記載されており、本体１に貼り付けることで機器の使用に支障をきたすことなくデザイン性を向上させ、２−ｂに示す外装材については、機器の背面や側面についても同様とする例を図示したものである。
【産業上の利用可能性】
【００１１】
本体に各種のデザインされた素材を貼り付けることで、素材の風合いや触感などを生かした製品をできるようになると同時に、部品点数を減らすことにつながり、また、ボタン類の配置が同様の別機種に外装をそのまま転用できるので、製造費用を低下させることができ、製造上の無駄を省くことができる。
【図面の簡単な説明】
【００１２】
【図１】布などを用いた電子機器製品の外装の実施方法を示した説明図である。（実施例１）
【符号の説明】
【００１３】
１    電子機器本体
２―ａ    ボタン類の機能などが記載された外装
２−ｂ    背面や側面に用いる外装
【図１】
0003115457.tif 000003
【手続補正書】
【提出日】平成17年2月7日(2005.2.7)
【手続補正１】
【補正対象書類名】実用新案登録請求の範囲
【補正対象項目名】全文
【補正方法】変更
【補正の内容】
【実用新案登録請求の範囲】
【請求項１】
布や革などと電子機器類を組み合わせ、特にキーピッチの浅い携帯電話などの電子機器類に用いる外装。
【請求項２】
電子機器におけるボタン類の機能などの表示を布や革などに示しておき電子機器に組み合わせることでデザインの多様化や部品点数を少なくすることを目的とした外装。
【手続補正２】
【補正対象書類名】明細書
【補正対象項目名】０００９
【補正方法】変更
【補正の内容】
【０００９】  電子機器類本体に対して各ボタンなどの機能をあらかじめ外装材に記載しておき貼り付けることで部品点数を減らすと同時にデザインの多様化が可能となる。
【手続補正３】
【補正対象書類名】明細書
【補正対象項目名】００１０
【補正方法】変更
【補正の内容】
【００１０】  図１は、本考案の布等を素材とする外装材２−ａおよび２−ｂと１に表す電子機器本体とを並べた状態で示したものであり、２−ａ及び２−ｂは外装材を示しており、２−ａは布などの素材に各ボタン類の機能などが記載されており、本体１に貼り付けることで機器の使用に支障をきたすことなくデザイン性を向上させ、２−ｂに示す外装材については、機器の背面や側面についても同様とし、２−ａ及び２−ｂを１に示した電子機器本体に貼り付けることにより部品点数を減少させていることを図示したものである。
0003115457.tif 000004
【手続補正書】
【提出日】平成17年7月7日(2005.7.7)
【手続補正１】
【補正対象書類名】実用新案登録請求の範囲
【補正対象項目名】全文
【補正方法】変更
【補正の内容】
【実用新案登録請求の範囲】
【請求項１】
電子機器の外装のデザインの多様化を目的として、布や革、紙、ビニルなどの素材を用いた外装を電子機器類本体に貼りつけることによりデザインの多様化を図る外装の素材と電子機器の組合せ。
【請求項２】
より一層のデザインの多様化を図ることを目的として、電子機器におけるボタン類の機能などの表示を布や革などに示しておくことにより電子機器のデザインの多様化や部品点数を少なくすることを目的とした外装と電子機器の組合せ。
【手続補正２】
【補正対象書類名】明細書
【補正対象項目名】全文
【補正方法】変更
【補正の内容】
【考案の詳細な説明】
【技術分野】
【０００１】  本考案は、携帯電話などの電子機器の外装の組合せに関するものである。
【背景技術】
【０００２】  一般的な生活がより電化され、電子機器類は日々増加し数々の電子機器が生活の一部として利用されている。【０００３】  生活の一部として多種多様な製品が利用されており、利用する側からより多様なデザインの製品が求められているが、一般的に電子機器製品は金属やプラスチックを用いた外装が主であり、布や皮などの質感を持たせる方法をこれまで持たせる事がないと言えた。【０００４】  また、各ボタン類でキーピッチの浅いものについてもボタンの表示を外装材に示しておくことで、よりデザインの多様化が図れるが、実現した製品が皆無であった。
【考案の開示】
【考案が解決しようとする課題】
【０００５】  解決しようとする問題点は、一般的な電子機器製品の外装の材料が金属やプラスチックに限られていることである。
【課題を解決するための手段】
【０００６】  本考案は、あらかじめデザインされた外装を用意し、電子機器類の外装材に布や革などの素材で覆うことにより、デザインの多様化を図ることを特徴とする。
【考案の効果】
【０００７】  本考案の外装方法を用いることで、電子機器類のデザインを大幅に多様化することができ、また、機材に機能を示す必要がないため部品点数を少なくでき、安価に機材を提供することが期待できる。
【考案を実施するための最良の形態】
【０００８】  布や革、紙、ビニルなど容易に物を覆う事が出来る材料を、あらかじめ貼りつける対象となる電子機器本体の大きさに合せて用意し、電子機器本体に貼りつける事でデザインの多様化を実現できる。【０００９】  電子機器本体に外装となる材料を覆う様に貼りつけた場合に、ボタン類を隠してしまう状況が勘案されるが、ボタン類を隠してしまう部分には、必要に応じて電子機器類本体に対して各ボタンなどの機能をあらかじめ外装となる布や革などに記載した状態で用意した上で、外装材を貼り付けることにより懸案を解決すると同時にデザインの更なる多様化が実現できる。
【実施例１】
【００１０】  図１は携帯電話を電子機器本体の例とした場合を図示したものであり、２−ａ、２−ｂに示す外装の材料で電子機器本体１に覆うように貼り付ける状態を示した図である。【００１１】  図２は、素材貼付の対象とする電子機器本体の各ボタンの機能を外装とする素材に記載し、対象となる電子機器本体の大きさに合わせて用意した状態を２−ａとして示した図である。【００１２】  図３は、装飾を目的として布などの素材を貼り付ける対象となる電子機器本体の大きさに合わせて用意した状態を２−ｂとして示した図である。【００１３】  図１の様に、布や革などの素材を用いて、あらかじめ必要な表示を施しておき、電子機器本体を覆う様に貼りつける事で電子機器の機能を損うことなくデザインの多様化を図ることができる。
【産業上の利用可能性】
【００１４】  本体に各種のデザインされた素材を電子機器本体に覆うように貼り付けることで、素材の風合いや触感などを生かした製品を提供できる。
【図面の簡単な説明】
【００１５】
【図１】本考案の布などを用いた外装と電子機器を並べ、貼りつける前の状態を示した図である。
【図２】ボタン類の機能などが記載された外装の例を示した図である。
【図３】背面や側面を覆うための外装を示した図である。
【符号の説明】
【００１６】  １    電子機器本体
２−ａ    ボタン類の機能などが記載された外装
２−ｂ    背面や側面に用いる外装
【手続補正３】
【補正対象書類名】図面
【補正対象項目名】全文
【補正方法】変更
【補正の内容】
【書類名】図面
【図１】
0003115457.tif 000005
【図２】
0003115457.tif 000006
【図３】
0003115457.tif 000007